(57)【要約】【課題】  無断広告や期限切れ広告等があるかどうかのチェックを可能にして、電柱広告の管理を容易にする電柱広告管理システムおよび電柱広告管理方法を提供する。【解決手段】  電柱１２０を識別する電柱管理番号を記憶し、この電柱１２０に設けられるＩＣタグと、電柱１２０に設置される広告を識別する広告管理番号を記憶し、この広告に設けられるＩＣタグと、各ＩＣタグから電柱管理番号と広告管理番号とを読み取ってネットワーク１１０に送信する読取り端末３と、電柱管理番号に対応して広告管理番号をあらかじめ登録し、ネットワーク１１０を経由して読取り端末３からの電柱管理番号と広告管理番号とを受け取ると、これらの番号と、あらかじめ登録している２つの管理番号とを照合して、紛失広告かどうかを判別するセンタシステム４とを備える。【選択図】  図１
2006331168.tif 000002
【特許請求の範囲】
【請求項１】
電柱を識別する電柱管理番号を記憶し、この電柱に設けられるＩＣタグと、
前記電柱に設置される広告を識別する広告管理番号を記憶し、この広告に設けられるＩＣタグと、
前記各ＩＣタグから前記電柱管理番号と前記広告管理番号とを読み取ってネットワークに送る読取り装置と、
前記電柱管理番号に対応して前記広告管理番号をあらかじめ登録し、前記ネットワークを経由して前記読取り装置からの電柱管理番号と広告管理番号とを受け取ると、これらの番号と、あらかじめ登録している前記２つの管理番号とを照合して、紛失広告かどうかを判別するセンタシステムと、
を備えることを特徴とする電柱広告管理システム。
【請求項２】
前記センタシステムは、データを表示する第１の表示手段を備え、
前記読取り装置は、データを表示する第２の表示手段を備え、
前記センタシステムは、紛失広告かどうかの判別結果を示す表示データを作成して、前記第１の表示手段および前記読取り装置に送り、前記読取り装置は表示データを受け取ると、この表示データを前記第２の表示手段に送る、
ことを特徴とする請求項１に記載の電柱広告管理システム。
【請求項３】
電柱を識別する電柱管理番号を記憶し、この電柱に設けられるＩＣタグと、
前記電柱に設置される広告を識別する広告管理番号を記憶し、この広告に設けられるＩＣタグと、
前記各ＩＣタグから前記電柱管理番号と前記広告管理番号とを読み取ってネットワークに送る読取り装置と、
前記電柱管理番号に対応して前記広告管理番号をあらかじめ登録し、かつ、前記広告管理番号と共に広告の掲載期間をあらかじめ登録し、前記ネットワークを経由して前記読取り装置からの電柱管理番号と広告管理番号とを受け取ると、これらの番号と、あらかじめ登録している前記２つの管理番号とを照合し、かつ、受け取ったときの日付けと、あらかじめ登録している掲載期間とを照合して、正規広告か期限切れ広告かを判別するセンタシステムと、
を備えることを特徴とする電柱広告管理システム。
【請求項４】
前記センタシステムは、データを表示する第１の表示手段を備え、
前記読取り装置は、データを表示する第２の表示手段を備え、
前記センタシステムは、正規広告または期限切れ広告の判別結果を示す表示データを作成して、前記第１の表示手段および前記読取り装置に送り、前記読取り装置は表示データを受け取ると、この表示データを前記第２の表示手段に送る、
ことを特徴とする請求項３に記載の電柱広告管理システム。
【請求項５】
前記センタシステムは、前記広告管理番号と共に広告主およびそのアドレスをあらかじめ登録し、期限切れ広告と判断したときに、広告主とアドレスとを基にして、この広告主宛ての広告期間延長希望などの問い合わせ書類等を作成する、
ことを特徴とする請求項３または４に記載の電柱広告管理システム。
【請求項６】
前記読取り装置は、広告の数が入力されると、この数を示すデータを前記センタシステムに送り、
前記センタシステムは、前記読取り装置から受け取った広告の数が、作成した表示データの数より多い場合、無断広告を表示する表示データを作成して、前記読取り装置に送る、
ことを特徴とする請求項４または５に記載の電柱広告管理システム。
【請求項７】
電柱を識別する電柱管理番号を記憶し、この電柱に設けられるＩＣタグと、
前記電柱に設置される広告を識別する広告管理番号を記憶し、この広告に設けられるＩＣタグと、
前記各ＩＣタグから前記電柱管理番号と前記広告管理番号とを読み取ってネットワークに送る読取り装置と、
前記電柱管理番号を含む複数の電柱管理番号に対応して広告管理番号をあらかじめ登録し、前記ネットワークを経由して前記読取り装置からの電柱管理番号と広告管理番号とを受け取ると、これらの番号と、あらかじめ登録している電柱管理番号および広告管理番号とを照合して、掛け違い広告かどうかを判別するセンタシステムと、
を備えることを特徴とする電柱広告管理システム。
【請求項８】
前記センタシステムは、データを表示する第１の表示手段を備え、
前記読取り装置は、データを表示する第２の表示手段を備え、
前記センタシステムは、掛け違い広告かどうかの判別結果を示す表示データを作成して、前記第１の表示手段および前記読取り装置に送り、前記読取り装置は表示データを受け取ると、この表示データを前記第２の表示手段に送る、
ことを特徴とする請求項７に記載の電柱広告管理システム。
【請求項９】
前記電柱に設置される広告を識別する広告管理番号がこの広告に付けられている電柱広告管理システムであって、
電柱を識別する電柱管理番号を記憶し、この電柱に設けられるＩＣタグと、
前記ＩＣタグから前記電柱管理番号を読み取ってネットワークに送る読取り装置と、
前記電柱管理番号に対応して、広告管理番号を含む広告データをあらかじめ登録し、前記ネットワークを経由して前記読取り装置からの電柱管理番号を受け取ると、この電柱管理番号に対応して登録されている広告管理番号を含む広告データを読み出して、前記読取り装置に送るセンタシステムと、
を備え、
前記読取り装置は前記センタシステムから広告データを受け取ると、この広告データを出力することを特徴とする電柱広告管理システム。
【請求項１０】
前記センタシステムは、データを表示する第１の表示手段を備え、
前記読取り装置は、データを表示する第２の表示手段を備え、
前記センタシステムは、読み出した広告データを表示データとして前記第１の表示手段および前記読取り装置に送り、前記読取り装置は表示データを受け取ると、この表示データを前記第２の表示手段に送る、
ことを特徴とする請求項９に記載の電柱広告管理システム。
【請求項１１】
前記読取り装置は、無断広告のデータが入力されると、このデータを前記センタシステムに送り、
前記センタシステムは、前記無断広告のデータを受け取ると、このデータを基にして無断広告の広告データを作成して保存し、この広告データを基にして警告書を作成することを特徴とする請求項９または１０に記載の電柱広告管理システム。
【請求項１２】
電柱を識別する電柱管理番号を記憶しているＩＣタグを、この電柱に設け、
前記電柱に設置される広告を識別する広告管理番号を記憶しているＩＣタグを、この広告に設け、
前記各ＩＣタグから前記電柱管理番号と前記広告管理番号とを読取り装置で読み取って、ネットワークを経由してセンタシステムに送り、
前記センタシステムでは、前記電柱管理番号に対応して前記広告管理番号をあらかじめ登録し、
前記ネットワークを経由して前記読取り装置からの電柱管理番号と広告管理番号とを前記センタシステムが受け取ると、これらの番号と、あらかじめ登録している前記２つの管理番号とを照合して、紛失広告かどうかを判別する、
ことを特徴とする電柱広告管理方法。
【請求項１３】
電柱を識別する電柱管理番号を記憶しているＩＣタグを、この電柱に設け、
前記電柱に設置される広告を識別する広告管理番号を記憶しているＩＣタグを、この広告に設け、
前記各ＩＣタグから前記電柱管理番号と前記広告管理番号とを読取り装置で読み取って、ネットワークを経由してセンタシステムに送り、
前記センタシステムでは、前記電柱管理番号に対応して前記広告管理番号をあらかじめ登録し、かつ、前記広告管理番号と共に広告の掲載期間をあらかじめ登録し、
前記ネットワークを経由して前記読取り装置からの電柱管理番号と広告管理番号とを前記センタシステムが受け取ると、これらの番号と、あらかじめ登録している前記２つの管理番号とを照合し、かつ、受け取ったときの日付けと、あらかじめ登録している掲載期間とを照合して、正規広告か期限切れ広告かを判別する、
ことを特徴とする電柱広告管理方法。
【請求項１４】
電柱を識別する電柱管理番号を記憶しているＩＣタグを、この電柱に設け、
前記電柱に設置される広告を識別する広告管理番号を記憶しているＩＣタグを、この広告に設け、
前記各ＩＣタグから前記電柱管理番号と前記広告管理番号とを読取り装置で読み取って、ネットワークを経由してセンタシステムに送り、
前記センタシステムでは、前記電柱管理番号を含む複数の電柱管理番号に対応して広告管理番号をあらかじめ登録し、
前記ネットワークを経由して前記読取り装置からの電柱管理番号と広告管理番号とを前記センタシステムが受け取ると、これらの番号と、あらかじめ登録している電柱管理番号および広告管理番号とを照合して、掛け違い広告かどうかを判別する、
ことを特徴とする電柱広告管理方法。
【請求項１５】
前記電柱に設置される広告を識別する広告管理番号がこの広告に付けられている電柱広告管理方法であって、
電柱を識別する電柱管理番号を記憶しているＩＣタグを、この電柱に設け、
前記ＩＣタグから前記電柱管理番号を読取り装置で読み取って、ネットワークを経由してセンタシステムに送り、
前記センタシステムでは、前記電柱管理番号に対応して、広告管理番号を含む広告データをあらかじめ登録し、
前記ネットワークを経由して前記読取り装置からの電柱管理番号を受け取ると、この電柱管理番号に対応して登録されている広告管理番号を含む広告データを読み出して、前記読取り装置に送り、
前記読取り装置では、前記センタシステムから広告データを受け取ると、この広告データを出力することを特徴とする電柱広告管理方法。
【発明の詳細な説明】
【技術分野】
【０００１】
この発明は、電柱を媒体にした広告を管理する電柱広告管理システムおよび電柱広告管理方法に関する。
【背景技術】
【０００２】
電柱を媒体にしたサービスには各種のものがあり（特許文献１）、その中の１つに電柱を媒体にした広告（以下、電柱広告という）がある（特許文献２）。電柱広告は、歩行者などに対する医療機関やお店の案内等に広く用いられている。電柱の管理は電力会社で行うが、電柱広告の管理は、通常、電力会社とは別の管理会社で行っている。電柱広告の設置について管理会社が顧客と契約を結ぶと、管理会社は、電柱広告を製作し、この電柱広告を所定の電柱に設置して、電柱広告の管理を行う。
【特許文献１】特開２００２−２９７６１３号公報
【特許文献２】特開２００３−４３９６８号公報
【発明の開示】
【発明が解決しようとする課題】
【０００３】
ところで、管理会社は、設置した電柱広告を管理すると共に、無断で電柱に取り付けられた広告（以下、無断広告という）や、電柱に掲載する期限が切れた広告（以下、期限切れ広告という）をチェックしている。このために、管理会社の巡視員が電柱広告を調べて、この電柱広告について管理会社に問い合わせ、電柱広告が正規のものであるかどうかを調べるという、人手による煩雑な管理作業が必要である。電柱は、本来、電力を搬送する電力線を支えるものであり、そのために、電柱の設置本数が多い。しかも、電柱広告の管理作業が煩雑であるために、電柱広告の管理が行き届かない場合がある。
【０００４】
この発明は、前記の課題を解決し、無断広告や期限切れ広告等があるかどうかのチェックを可能にして、電柱広告の管理を容易にする電柱広告管理システムおよび電柱広告管理方法を提供することにある。
【課題を解決するための手段】
【０００５】
前記課題を解決するために、請求項１の発明は、電柱を識別する電柱管理番号を記憶し、この電柱に設けられるＩＣタグと、前記電柱に設置される広告を識別する広告管理番号を記憶し、この広告に設けられるＩＣタグと、前記各ＩＣタグから前記電柱管理番号と前記広告管理番号とを読み取ってネットワークに送る読取り装置と、前記電柱管理番号に対応して前記広告管理番号をあらかじめ登録し、前記ネットワークを経由して前記読取り装置からの電柱管理番号と広告管理番号とを受け取ると、これらの番号と、あらかじめ登録している前記２つの管理番号とを照合して、紛失広告かどうかを判別するセンタシステムとを備えることを特徴とする電柱広告管理システムである。
【０００６】
請求項１の発明によれば、電柱と電柱広告とにＩＣタグを設け、これらのＩＣタグにそれぞれ管理番号を記憶する。また、センタシステム側では、広告設置の契約時に、電柱広告を設置する電柱の電柱管理番号に対応して広告管理番号を登録する。これにより、広告の管理に際して、電柱の電柱管理番号および電柱広告の広告管理番号と、あらかじめ登録してある電柱管理番号および広告管理番号とを照合することにより、読取り装置が読み取った電柱に、広告設置の契約をしたにもかかわらず設置されていない広告（以下、紛失広告という）があるかどうかを判別する。
【０００７】
請求項２の発明は、請求項１に記載の電柱広告管理システムにおいて、前記センタシステムは、データを表示する第１の表示手段を備え、前記読取り装置は、データを表示する第２の表示手段を備え、前記センタシステムは、紛失広告かどうかの判別結果を示す表示データを作成して、前記第１の表示手段および前記読取り装置に送り、前記読取り装置は表示データを受け取ると、この表示データを前記第２の表示手段に送ることを特徴とする。
【０００８】
請求項２の発明によれば、センタシステムでは、紛失広告かどうかの判別結果を示す表示データを作成して、第１の表示手段および読取り装置に送ることにより、第１の表示手段と、読取り装置の第２の表示手段とが紛失広告の有無を表示する。
【０００９】
請求項３の発明は、電柱を識別する電柱管理番号を記憶し、この電柱に設けられるＩＣタグと、前記電柱に設置される広告を識別する広告管理番号を記憶し、この広告に設けられるＩＣタグと、前記各ＩＣタグから前記電柱管理番号と前記広告管理番号とを読み取ってネットワークに送る読取り装置と、前記電柱管理番号に対応して前記広告管理番号をあらかじめ登録し、かつ、前記広告管理番号と共に広告の掲載期間をあらかじめ登録し、前記ネットワークを経由して前記読取り装置からの電柱管理番号と広告管理番号とを受け取ると、これらの番号と、あらかじめ登録している前記２つの管理番号とを照合し、かつ、受け取ったときの日付けと、あらかじめ登録している掲載期間とを照合して、正規広告か期限切れ広告かを判別するセンタシステムとを備えることを特徴とする電柱広告管理システムである。
【００１０】
請求項３の発明によれば、電柱と電柱広告とにＩＣタグを設け、これらのＩＣタグにそれぞれ管理番号を記憶する。また、センタシステム側では、広告設置の契約時に、電柱広告を設置する電柱の電柱管理番号に対応して広告管理番号と掲載期間とを登録する。これにより、広告の管理に際して、電柱の電柱管理番号および電柱広告の広告管理番号と、あらかじめ登録してある電柱管理番号および広告管理番号とを照合し、かつ、読取り装置から各管理番号を受け取った日付けと、あらかじめ登録してある掲載期間とを照合することにより、読取り装置が読み取った広告が正規広告か期限切れ広告かを判別する。
【００１１】
請求項４の発明は、請求項３に記載の電柱広告管理システムにおいて、前記センタシステムは、データを表示する第１の表示手段を備え、前記読取り装置は、データを表示する第２の表示手段を備え、前記センタシステムは、正規広告または期限切れ広告の判別結果を示す表示データを作成して、前記第１の表示手段および前記読取り装置に送り、前記読取り装置は表示データを受け取ると、この表示データを前記第２の表示手段に送ることを特徴とする。
【００１２】
請求項４の発明によれば、センタシステムでは、正規広告または期限切れ広告かどうかの判別結果を示す表示データを作成して、第１の表示手段および読取り装置に送ることにより、第１の表示手段と読取り装置の第２の表示手段とが正規広告か期限切れ広告かを表示する。
【００１３】
請求項５の発明は、請求項３または４に記載の電柱広告管理システムにおいて、前記センタシステムは、前記広告管理番号と共に広告主およびそのアドレスをあらかじめ登録し、期限切れ広告と判断したときに、広告主とアドレスとを基にして、この広告主宛ての広告期間延長希望などの問い合わせ書類等を作成することを特徴とする。
【００１４】
請求項５の発明によれば、期限切れ広告と判断した場合には、この広告主宛ての広告期間延長希望などの問い合わせ書類等を自動的に作成する。
【００１５】
請求項６の発明は、請求項４または５に記載の電柱広告管理システムにおいて、前記読取り装置は、広告の数が入力されると、この数を示すデータを前記センタシステムに送り、前記センタシステムは、前記読取り装置から受け取った広告の数が、作成した表示データの数より多い場合、無断広告を表示する表示データを作成して、前記読取り装置に送ることを特徴とする。
【００１６】
請求項６の発明によれば、センタシステムは、読取り装置から受け取った広告の数が、作成した表示データの数より多い場合、無断広告を表示する表示データを作成して、読取り装置に送るので、読取り装置の第２の表示手段は無断広告を表示する。
【００１７】
請求項７の発明は、電柱を識別する電柱管理番号を記憶し、この電柱に設けられるＩＣタグと、前記電柱に設置される広告を識別する広告管理番号を記憶し、この広告に設けられるＩＣタグと、前記各ＩＣタグから前記電柱管理番号と前記広告管理番号とを読み取ってネットワークに送る読取り装置と、前記電柱管理番号を含む複数の電柱管理番号に対応して広告管理番号をあらかじめ登録し、前記ネットワークを経由して前記読取り装置からの電柱管理番号と広告管理番号とを受け取ると、これらの番号と、あらかじめ登録している電柱管理番号および広告管理番号とを照合して、掛け違い広告かどうかを判別するセンタシステムとを備えることを特徴とする電柱広告管理システムである。
【００１８】
請求項７の発明によれば、読取り装置が読み取った電柱管理番号および広告管理番号と、あらかじめ登録してある電柱管理番号および広告管理番号とを照合する。読取り装置が読み取った広告管理番号が別の電柱管理番号に対応すれば、この広告管理番号の電柱広告は所定の電柱とは別の電柱に設置された電柱広告（以下、掛け違い広告という）と判別する。
【００１９】
請求項８の発明は、請求項７に記載の電柱広告管理システムにおいて、前記センタシステムは、データを表示する第１の表示手段を備え、前記読取り装置は、データを表示する第２の表示手段を備え、前記センタシステムは、掛け違い広告かどうかの判別結果を示す表示データを作成して、前記第１の表示手段および前記読取り装置に送り、前記読取り装置は表示データを受け取ると、この表示データを前記第２の表示手段に送ることを特徴とする。
【００２０】
請求項８の発明によれば、センタシステムでは、掛け違い広告かどうかの判別結果を示す表示データを作成して、第１の表示手段と読取り装置の第２の表示手段とに送ることにより、第１の表示手段と読取り装置の第２の表示手段とが掛け違い広告の有無を表示する。
【００２１】
請求項９の発明は、前記電柱に設置される広告を識別する広告管理番号がこの広告に付けられている電柱広告管理システムであって、電柱を識別する電柱管理番号を記憶し、この電柱に設けられるＩＣタグと、前記ＩＣタグから前記電柱管理番号を読み取ってネットワークに送る読取り装置と、前記電柱管理番号に対応して、広告管理番号を含む広告データをあらかじめ登録し、前記ネットワークを経由して前記読取り装置からの電柱管理番号を受け取ると、この電柱管理番号に対応して登録されている広告管理番号を含む広告データを読み出して、前記読取り装置に送るセンタシステムとを備え、前記読取り装置は前記センタシステムから広告データを受け取ると、この広告データを出力することを特徴とする電柱広告管理システムである。
【００２２】
請求項９の発明によれば、データが読み取られた電柱に本来設置されている電柱広告の広告データを、読取り端末が出力する。
【００２３】
請求項１０の発明は、請求項９に記載の電柱広告管理システムにおいて、前記センタシステムは、データを表示する第１の表示手段を備え、前記読取り装置は、データを表示する第２の表示手段を備え、前記センタシステムは、読み出した広告データを表示データとして前記第１の表示手段および前記読取り装置に送り、前記読取り装置は表示データを受け取ると、この表示データを前記第２の表示手段に送ることを特徴とする。
【００２４】
請求項１０の発明によれば、データが読み取られた電柱の広告データを表示データとして第１の表示手段および読取り装置に送ることにより、第１の表示手段と、読取り装置の第２の表示手段とが、データの読み取られた電柱に本来設置される電柱広告を表示する。
【００２５】
請求項１１の発明は、請求項９または１０に記載の電柱広告管理システムにおいて、前記読取り装置は、無断広告のデータ入力されると、このデータを前記センタシステムに送り、前記センタシステムは、前記無断広告のデータを受け取ると、このデータを基にして無断広告の広告データを作成して保存し、この広告データを基にして警告書を作成することを特徴とする。
【００２６】
請求項１１の発明によれば、センタシステムは、無断広告のデータから、この広告の広告データを作成して保存する。そして、センタシステムは、この広告データを基にして、必要に応じて、警告書を作成する。
【００２７】
請求項１２の発明は、電柱を識別する電柱管理番号を記憶しているＩＣタグを、この電柱に設け、前記電柱に設置される広告を識別する広告管理番号を記憶しているＩＣタグを、この広告に設け、前記各ＩＣタグから前記電柱管理番号と前記広告管理番号とを読取り装置で読み取って、ネットワークを経由してセンタシステムに送り、前記センタシステムでは、前記電柱管理番号に対応して前記広告管理番号をあらかじめ登録し、前記ネットワークを経由して前記読取り装置からの電柱管理番号と広告管理番号とを前記センタシステムが受け取ると、これらの番号と、あらかじめ登録している前記２つの管理番号とを照合して、紛失広告かどうかを判別することを特徴とする電柱広告管理方法である。
【００２８】
請求項１３の発明は、電柱を識別する電柱管理番号を記憶しているＩＣタグを、この電柱に設け、前記電柱に設置される広告を識別する広告管理番号を記憶しているＩＣタグを、この広告に設け、前記各ＩＣタグから前記電柱管理番号と前記広告管理番号とを読取り装置で読み取って、ネットワークを経由してセンタシステムに送り、前記センタシステムでは、前記電柱管理番号に対応して前記広告管理番号をあらかじめ登録し、かつ、前記広告管理番号と共に広告の掲載期間をあらかじめ登録し、前記ネットワークを経由して前記読取り装置からの電柱管理番号と広告管理番号とを前記センタシステムが受け取ると、これらの番号と、あらかじめ登録している前記２つの管理番号とを照合し、かつ、受け取ったときの日付けと、あらかじめ登録している掲載期間とを照合して、正規広告か期限切れ広告かを判別することを特徴とする電柱広告管理方法である。
【００２９】
請求項１４の発明は、電柱を識別する電柱管理番号を記憶しているＩＣタグを、この電柱に設け、前記電柱に設置される広告を識別する広告管理番号を記憶しているＩＣタグを、この広告に設け、前記各ＩＣタグから前記電柱管理番号と前記広告管理番号とを読取り装置で読み取って、ネットワークを経由してセンタシステムに送り、前記センタシステムでは、前記電柱管理番号を含む複数の電柱管理番号に対応して広告管理番号をあらかじめ登録し、前記ネットワークを経由して前記読取り装置からの電柱管理番号と広告管理番号とを前記センタシステムが受け取ると、これらの番号と、あらかじめ登録している電柱管理番号および広告管理番号とを照合して、掛け違い広告かどうかを判別することを特徴とする電柱広告管理方法である。
【００３０】
請求項１５の発明は、前記電柱に設置される広告を識別する広告管理番号がこの広告に付けられている電柱広告管理方法であって、電柱を識別する電柱管理番号を記憶しているＩＣタグを、この電柱に設け、前記ＩＣタグから前記電柱管理番号を読取り装置で読み取って、ネットワークを経由してセンタシステムに送り、前記センタシステムでは、前記電柱管理番号に対応して、広告管理番号を含む広告データをあらかじめ登録し、前記ネットワークを経由して前記読取り装置からの電柱管理番号を受け取ると、この電柱管理番号に対応して登録されている広告管理番号を含む広告データを読み出して、前記読取り装置に送り、前記読取り装置では、前記センタシステムから広告データを受け取ると、この広告データを出力することを特徴とする電柱広告管理方法である。
【発明の効果】
【００３１】
請求項１および請求項１２の発明によれば、電柱管理番号を記憶するＩＣタグと、広告管理番号を記憶するＩＣタグとを用い、これらの番号を照合することにより、人手による従来の管理作業を不要にして、読取り装置が読み取った電柱に紛失広告があるかどうかを判別することができる。
【００３２】
請求項２の発明によれば、紛失広告の有無をセンタシステムの第１の表示手段と読取り装置の第２の表示手段とに表示して、紛失広告の有無を目視可能にする。
【００３３】
請求項３および請求項１３の発明によれば、電柱管理番号を記憶するＩＣタグと、広告管理番号を記憶するＩＣタグとを用い、これらの番号を照合すると共に、掲載期限と日付けとを照合することにより、人手による従来の管理作業を不要にして、読取り装置が読み取った広告が正規広告か期限切れ広告かどうかを判別することができる。
【００３４】
請求項４の発明によれば、正規広告か期限切れ広告かの判別結果をセンタシステムの第１の表示手段と読取り装置の第２の表示手段とに表示するので、読出し装置を携帯している人に対して、読取り装置が読み取った広告が正規広告か期限切れ広告かの目視を可能にする。
【００３５】
請求項５の発明によれば、読取り装置が読み取った広告が期限切れ広告と判別した場合には、この広告主宛ての広告期間延長希望などの問い合わせ書類等を自動的に出力することが可能である。
【００３６】
請求項６の発明によれば、読取り装置が読み取った広告が無断広告と判別した場合には、読取り装置の第２の表示手段が無断広告を表示するので、無断広告有りの目視が可能になる。
【００３７】
請求項７および請求項１４の発明によれば、読取り装置が読み取った広告が掛け違い広告かどうかを判別することができる。
【００３８】
請求項８の発明によれば、掛け違い広告の有無をセンタシステムの第１の表示手段と読取り装置の第２の表示手段とに表示して、掛け違い広告の有無を目視可能にする。
【００３９】
請求項９および請求項１５の発明によれば、データが読み取られた電柱に本来設置されるべき電柱広告の広告データを、読取り端末が出力するので、この読取り端末を携帯する巡視員等は、電柱に無断広告があるかどうかを容易に判断することができる。
【００４０】
請求項１０の発明によれば、電柱に本来設置される電柱広告を、センタシステムの第１の表示手段と読取り装置の第２の表示手段とに表示して、本来の電柱広告を目視可能にする。
【００４１】
請求項１１の発明によれば、センタシステムは、無断広告のデータから、この広告の広告データを作成して保存することができる。また、センタシステムは、この広告データを基にして、必要に応じて、警告書を作成することができる。
【発明を実施するための最良の形態】
【００４２】
つぎに、この発明の実施の形態について、図面を用いて詳しく説明する。
（実施の形態１）
この実施の形態による電柱広告管理システムを図１および図２に示す。この電柱広告管理システムは、通信網１１１と電波中継機１１２とを具備するネットワーク１１０を利用して、電柱１２０に設置された巻きタイプの電柱広告１３１と掛けタイプの電柱広告１３２とを管理する。また、この実施の形態では、電柱広告管理システムを運用するのは、電柱１２０を管理する電力会社とは別の管理会社である場合を例としている。この実施の形態による電柱広告管理システムは、無線ＩＣタグ（ＲＦＩＤ）１、２Ａ、２Ｂと、読取り端末３と、センタシステム４とを備えている。
【００４３】
無線ＩＣタグ１は電柱１２０に取り付けられている。通常、各電柱１２０には、これらの電柱１２０の管理を容易にするために、電柱管理番号が付けられている。電柱管理番号は、各電柱１２０により異なり、電柱１２０を識別するための識別番号でもあり、電力会社が管理している。管理会社は、管理範囲にある電柱１２０の電柱管理番号を電力会社から得て、この電柱管理番号を無線ＩＣタグ１に記憶し、この電柱管理番号に対応する電柱１２０に無線ＩＣタグ１を貼り付けている。こうした作業を管理会社はそれぞれの電柱１２０に対して行う。
【００４４】
無線ＩＣタグ１は、読取り端末３からの電磁波を受信すると、この電磁波を電源とし、電力供給を受けなくても、内部に記憶しているデータを出力する。無線Ｃタグ１は、図３に示すように、アンテナ１１と送受信回路１２と電源回路１３とＣＰＵ（Ｃｅｎｔｒａｌ  Ｐｒｏｃｅｓｓｉｎｇ  Ｕｎｉｔ）１４とメモリ１５とを備えている。メモリ１５は、データの記憶に電源供給が不要であり、データとして電柱管理番号を記憶している。アンテナ１１は読取り端末３からの制御信号を含む電磁波を受信し、電源回路１３は、アンテナ１１が受信した電磁波を電源に変換し、この電源を送受信回路１２およびＣＰＵ１４に加える。送受信回路１２は、電源回路１３からの電源で動作し、アンテナ１１が電磁波を受信すると、電磁波が含む制御信号をＣＰＵ１４に送る。ＣＰＵ１４は、電源回路１３からの電源で動作し、送受信回路１２から制御信号を受け取ると、メモリ１５から電柱管理番号を読み出して、送受信回路１２に送る。送受信回路１２は、ＣＰＵ１４から電柱管理番号を受け取ると、この電柱管理番号を含む電磁波をアンテナ１１から出力する。
【００４５】
無線ＩＣタグ２Ａ、２Ｂは電柱広告１３１、１３２に貼り付けられている。通常、電柱広告１３１、１３２は、広告管理番号により管理されている。広告管理番号は、電柱広告１３１、１３２で異なり、電柱広告１３１、１３２を識別するための識別番号である。各広告管理番号は管理会社が管理している。管理会社は、電柱広告の設置について広告主と契約を結ぶと、設置する電柱広告に広告管理番号を付けて、この電柱広告を管理する。無線ＩＣタグ２Ａ、２Ｂは、無線ＩＣタグ１と同じ構成であり、広告管理番号をメモリに記憶している。
【００４６】
読取り端末３は、管理会社の巡視員の操作により、無線ＩＣタグ１、２Ａ、２Ｂからデータを読み取る。読取り端末３は、図４に示すように、アンテナ３１、３８と、送受信回路３２と、ＣＰＵ３３と、通信回路３４と、メモリ３５と、電源回路３６と、パネル３７とを備えている。メモリ３５はＣＰＵ３３の処理手順などを記憶している。電源回路３６はバッテリ等からの電源を送受信回路３２、ＣＰＵ３３、通信回路３４、およびパネル３７に供給する。パネル３７は、巡視員の操作による指示が入力される入力パネル（図示を省略）と、ＣＰＵ３３の処理結果などのデータを表示する表示パネル（図示を省略）とを備えている。
【００４７】
送受信回路３２は、データ送信を指示する制御信号をＣＰＵ３３から受け取ると、この信号を含む電磁波をアンテナ３１から無線ＩＣタグ１、２Ａ、２Ｂに送信する。送受信回路３２は、無線ＩＣタグ１、２Ａ、２Ｂからの電磁波をアンテナ３１が受信すると、この電磁波に含まれている電柱管理番号や広告管理番号をＣＰＵ３３に送る。通信回路３４は、ネットワーク１１０を経由して、センタシステム４とデータの送受信を行う。つまり、通信回路３４は、ＣＰＵ３３から電柱管理番号や広告管理番号を受け取ると、これらの番号を含む高周波信号をアンテナ３８から送信する。この高周波信号はネットワーク１１０の電波中継機１１２で受信され、高周波信号の含むデータが通信網１１１を経由してセンタシステム４に送られる。また、センタシステム４からの後述する表示データは、ネットワーク１１０の電波中継機１１２により、高周波信号として送信される。通信回路３４は、電波中継機１１２からの高周波信号をアンテナ３８が受信すると、この高周波信号に含まれる表示データをＣＰＵ３３に送る。
【００４８】
ＣＰＵ３３は、パネル３７の操作パネルの操作により、無線ＩＣタグ１、２Ａ、２Ｂの記憶するデータを読み取るための指示が入力されると、データの読み取りを示す制御信号を送受信回路３２に送る。この後、ＣＰＵ３３は、送受信回路３２から電柱管理番号や広告管理番号を受け取ると、これらの番号を通信回路３４に送る。また、ＣＰＵ３３は、通信回路３４から表示データを受け取ると、このデータをパネル３７の表示パネルに表示させる。
【００４９】
センタシステム４は、電柱広告の管理をするために用いられ、管理会社に設置されている。センタシステム４は、通信装置４１と、ホストコンピュータ４２と、記憶装置４３と、入出力装置４４とを備えている。記憶装置４３は、電柱１２０と電柱広告１３１、１３２とを管理するために、図５に示す管理テーブル４３Ａを記憶している。管理テーブル４３Ａには、電柱管理番号のデータがあらかじめ記憶されている。さらに、管理テーブル４３Ａには、電柱管理番号に対応して、広告管理番号、電柱広告のタイプ、掲示期間、広告主、アドレスなどのデータが記憶されて登録される。電柱管理番号は管理会社が電力会社から得たものであり、この実施の形態では、管理会社が電柱広告を掲載する電柱のデータ、例えば「Ａ１２３」、「Ａ４５６」などが電柱管理番号として記憶されている。広告管理番号、電柱広告のタイプ、掲示期間、広告主名、アドレスなどは、広告主との契約成立によって随時に登録されて更新される。
【００５０】
入出力装置４４は管理会社の作業者によって操作され、たとえば、広告主との契約成立後に、広告管理番号、電柱広告のタイプ、掲示期間、広告主名、アドレスなどの広告データが入出力装置４４に入力される。また、入出力装置４４は、後述する警告データをホストコンピュータ４２から受け取ると、この警告データを基にして広告期間延長希望などの問い合わせ書類等を出力する。さらに、入出力装置４４は、後述する表示データをホストコンピュータ４２から受け取ると、この表示データ、つまり、広告管理番号、電柱広告のタイプ、掲示期間、広告主名、アドレスなどを表示する。通信装置４１は、ホストコンピュータ４２の指示により、ネットワーク１１０を経由して、読取り端末３とデータの送受信をする。
【００５１】
ホストコンピュータ４２は、電柱広告の管理をするための処理を含む、システム維持のための各種の処理を行う。ホストコンピュータ４２は、電柱広告の管理をするために、入力処理、管理処理、および通報処理を行う。入力処理は、広告主との契約成立後に行われる処理である。入力処理では、図６に示すように、入出力装置４４に電柱管理番号が入力されると、ホストコンピュータ４２が電柱管理番号を受け取る（ステップＳ１）。この電柱管理番号は電柱広告を設置する電柱の番号である。ステップＳ１に続いて、広告管理番号、電柱広告のタイプ、掲示期間、広告主名、アドレスなどの広告データを受け取ると（ステップＳ２）、ステップＳ１で受け取った電柱管理番号に対応して、広告データを記憶装置４３の管理テーブル４３Ａに記憶して登録する（ステップＳ３）。ステップＳ３の後、別の電柱管理番号の入力データや広告データが有るかどうかを判断する（ステップＳ４）。ステップＳ４で入力データや広告データがある場合にはステップＳ１〜Ｓ３の処理を繰り返し、入力データや広告データが無い場合には処理を終了する。
【００５２】
ホストコンピュータ４２の管理処理は電柱に設置してある電柱広告を管理するために行われる処理である。通信装置４１は、読取り端末３からのデータを受信すると、このデータに含まれる電柱管理番号と広告管理番号とをホストコンピュータ４２に送り、ホストコンピュータ４２は図７および図８に示す管理処理を開始する。ホストコンピュータ４２は、電柱管理番号と広告管理番号とを受け取ると（ステップＳ１１）、広告管理番号から１つを抽出し（ステップＳ１２）、さらに、現在の日付けを調べる（ステップＳ１３）。ステップＳ１３の後、ホストコンピュータ４２は、記憶装置４３の管理テーブル４３Ａを参照し（ステップＳ１４）、ステップＳ１１で受け取った電柱管理番号とステップＳ１２で抽出した広告管理番号とに対応する掲示期間を調べ（ステップＳ１５）、ステップＳ１３の日付けがステップＳ１５の掲示期間内かどうかを判断する（ステップＳ１６）。日付けが掲示期間内であれば、ホストコンピュータ４２は、ステップＳ１２で抽出した広告管理番号の電柱広告が正規（以下、正規広告という）であることを表示するデータと、管理テーブル４３Ａに記憶されている、この正規広告の広告管理番号を含む広告データとで表示データを作成し（ステップＳ１７）、この表示データを入出力装置４４と通信装置４１とに送る（ステップＳ１８）。
【００５３】
また、ステップＳ１６で日付けが掲示期間を過ぎていれば、ホストコンピュータ４２は期限切れ表示するデータと、管理テーブル４３Ａに記憶されている、この期限切れ広告の広告管理番号を含む広告データとで表示データを作成し（ステップＳ１９）、この表示データをステップＳ１８により入出力装置４４と通信装置４１とに送る。
【００５４】
ステップＳ１８の後、ホストコンピュータ４２は、ステップＳ１１で受け取った広告管理番号の中に未抽出の番号が有るかどうかを判断する（ステップＳ２０）。未抽出の広告管理番号がある場合、処理をステップＳ１２に戻して、次の広告管理番号についてステップＳ１２〜Ｓ１９の処理を行う。また、ステップＳ２０で未抽出の広告管理番号が無い場合、ホストコンピュータ４２は、ステップＳ１１で受け取った電柱管理番号に対応する、管理テーブル４３Ａの広告管理番号に未参照のものがあるかどうかを判断する（ステップＳ２１）。未参照の広告管理番号が無い場合、ホストコンピュータ４２は処理を終了する。また、未参照の広告管理番号がある場合、この広告管理番号に対応する電柱広告は、広告設置の契約をしたにもかかわらず設置されていない広告つまり紛失広告であるので、ホストコンピュータ４２は、紛失広告を表示するデータと、この広告管理番号を含む広告データとで表示データを作成し（ステップＳ２２）、この表示データを入出力装置４４と通信装置４１とに送り（ステップＳ２３）、処理を終了する。
【００５５】
このように、ホストコンピュータ４２は、電柱管理番号、広告管理番号、掲載期限を照合することにより、読取り端末３が読み取った電柱広告１３１、１３２が正規広告か期限切れ広告かの判別と、読取り端末３が読み取った電柱１２０に紛失広告が有るかどうかの判別とを行うことができる。
【００５６】
通報処理は、管理処理のステップＳ１９で期限切れ広告を探し出した後に行われる処理である。通報処理では、図９に示すように、ホストコンピュータ４２は、期限切れ広告を探すと、記憶装置４３の管理テーブル４３Ａを参照し（ステップＳ３１）、期限切れ広告に付属するデータとして、この期限切れ広告の広告管理番号に対応する広告主とアドレスとを抽出し（ステップＳ３２）、広告期間延長希望などの問い合わせ書類等を出力するために、抽出したデータから警告データを作成する（ステップＳ３３）。ステップＳ３３の後、ホストコンピュータ４２は警告データを入出力装置４４に送る（ステップＳ３４）。
【００５７】
この実施の形態による電柱広告管理システムは以上の構成である。この電柱広告管理システムを用いた電柱広告管理方法は次のとおりである。管理会社では、電柱広告設置の契約が成立すると、入力処理を行い、センタシステム４の管理テーブル４３Ａに、例えば電柱管理番号「Ａ１２３」に対応して、広告管理番号「Ｂ３２１」、電柱広告のタイプ「巻き広告」、２００５年１月１日から２００５年１２月１日までの掲示期間「２００５年１月１日：２００５年１２月１日」、広告主「××病院」、アドレス等が加えられる。また、電柱管理番号「Ａ１２３」に対応して、管理テーブル４３Ａには、電柱広告のタイプ「掛け広告」、２００５年１月１日から２００５年６月１日までの掲示期間「２００５年１月１日：２００５年６月１日」、広告主「△△会社」、アドレス等が既に登録されている。管理会社では、依頼された電柱広告１３１を製作し、広告管理番号「Ｂ３２１」を記憶した無線ＩＣタグ２Ａを電柱広告１３１に貼り付け、電柱広告１３１を電柱１２０に設置する。電柱１２０には、広告主「△△会社」の掛けタイプの電柱広告も既に設置されている。
【００５８】
こうした状態のときに、管理会社の巡視員が定期的に電柱１２０をチェックする。このとき、巡視員は、電柱１２０からデータを読み取るために、読取り端末３を操作する。読取り端末３は、電柱１２０の無線ＩＣタグ１と、電柱広告１３１、１３２の無線ＩＣタグ２Ａ、２Ｂとからデータを読み出すと、ネットワーク１１０を経由して、これらのデータをセンタシステム４に送信する。
【００５９】
センタシステム４は、読取り端末３からデータを受信すると、管理処理を行い、電柱管理番号「Ａ１２３」の電柱１２０に設置されている、広告管理番号「Ｂ３２１」および「Ｂ６５４」が正規広告か期限切れ広告かを判断する。電柱広告１３１、１３２が正規広告と判断した場合、センタシステム４は、電柱広告１３１、１３２が正規であることを示すデータと、この広告の広告データとで表示データを作成し、この表示データを、入出力装置４４に送ると共に、ネットワーク１１０を経由して読取り端末３に送る。これにより、センタシステム４の入出力装置４４と、読取り端末３の表示パネルとは、データを読み取った電柱広告１３１、１３２の広告データ、つまり広告管理番号、電柱広告のタイプ、掲示期間、広告主名、アドレスなどを表示すると共に、各電柱広告１３１、１３２が「正規広告」であることを表示する。
【００６０】
ところで、例えば電柱管理番号「Ａ１２３」の電柱１２０に設置されている、広告管理番号「Ｂ６５４」の電柱広告１３２が期限切れ広告である場合、センタシステム４は、管理処理により、管理テーブル４３Ａを参照して、この電柱広告１３２の広告データと、この電柱広告１３２が期限切れ広告であることを示すデータとで表示データを作成し、この表示データを、入出力装置４４に送ると共に、ネットワーク１１０を経由して読取り端末３に送る。このとき、センタシステム４は、正規広告である広告１３１の広告管理番号を含む広告データと、広告１３１が正規広告であることを示すデータとで表示データを作成し、この表示データも入出力装置４４に送ると共に、ネットワーク１１０を経由して読取り端末３に送る。これにより、センタシステム４の入出力装置４４と、読取り端末３の表示パネルとは、広告１３１の広告データを表示し、かつ、この広告データが「正規広告」であることを表示すると共に、広告１３２の広告データを表示し、かつ、この広告データが「期限切れ広告」であることを表示する。同時に、センタシステム４は、通報処理を行い、管理テーブル４３Ａから広告主の広告主名「△△会社」とアドレスとを読み出して、警告データを作成し、この警告データを基にして広告期間延長希望などの問い合わせ書類等を入出力装置４４から出力する。
【００６１】
読取り端末３は、このように、電柱広告１３１の広告データと電柱広告１３２の広告データとが正規広告または期限切れ広告の表示をする。つまり、読取り端末３が電柱１２０から読み出した電柱広告の広告データだけを表示するので、電柱１２０に２つの電柱広告が設置されているにもかかわらず、読取り端末３がどちらか一方の電柱広告のデータだけを表示した場合、残った電柱広告が無断広告であると巡視員が判断することを可能にする。この場合には、巡視員が電柱広告の内容から広告主や住所を調べて、管理会社に通報する。
【００６２】
また、センタシステム４が管理処理により、紛失した電柱広告を見つけ出した場合、入出力装置４４と読取り端末３の表示パネルとは、広告データと、この広告データが紛失広告であることを表示する。この後、必要に応じて、例えば巡視員が電柱周辺等を探し、探した結果を読取り端末３を操作して入力し、センタシステム４に送る。
【００６３】
このように、この実施の形態による電柱広告管理システムおよび電柱広告管理方法とによれば、電柱１２０に設置された電柱広告１３１、１３２が正規広告か期限切れ広告かを判別することができ、期限切れ広告を見つけた場合には、広告期間延長希望などの問い合わせ書類等を出力することができる。また、電柱広告の紛失を調べることができる。さらに、電柱１２０に設置されている広告が無断広告かどうかの判断材料を提供することができる。
（実施の形態２）
実施の形態１では、センタシステム４により正規広告、期限切れ広告、紛失広告の判別を行ったが、図７および図８の処理手順の中で、ステップＳ１３〜ステップＳ１９を省略した処理がある。つまり、ホストコンピュータ４２は、ステップＳ１１で電柱管理番号と広告管理番号とを受け取ると、ステップＳ１２で広告管理番号から１つを抽出する。この後、ホストコンピュータ４２は、ステップＳ２０により、ステップＳ１１で受け取った広告管理番号の中に未抽出の番号が有るかどうかを判断する。未抽出の広告管理番号がある場合、処理をステップＳ１２に戻して、次の広告管理番号を抽出する。また、ステップＳ２０で未抽出の広告管理番号が無い場合、ホストコンピュータ４２は、ステップＳ２１により、ステップＳ１１で受け取った電柱管理番号に対応する、管理テーブル４３Ａの広告管理番号に未参照のものがあるかどうかを判断する。未参照の広告管理番号が無い場合、ホストコンピュータ４２は処理を終了する。また、未参照の広告管理番号がある場合、ホストコンピュータ４２は、ステップＳ２２により、紛失広告を表示するデータと、この広告管理番号を含む広告データとで表示データを作成し、ステップＳ２３でこの表示データを入出力装置４４と通信装置４１とに送り、処理を終了する。
【００６４】
こうした確認処理によれば、紛失広告の有無の確認だけを行い、紛失広告がある場合には、入出力装置４４と読取り端末３の表示パネルとに対して、紛失広告があることを示すことが可能である。
（実施の形態３）
実施の形態１、２では、巡視員が読取り端末３を操作して、無線ＩＣタグ１、２Ａ、２Ｂからデータを読み出すだけであったが、この実施の形態では、データ読み出しの際に、巡視員が電柱１２０に設置されている広告の数を入力する。このデータは、ネットワーク１１０を経由して、センタシステム４に送られる。センタシステム４では、管理処理で作成した表示データの数が、巡視員の入力した広告の数に比べて少ない場合、ホストコンピュータ４２は、無断広告が有ることを示す表示データを作成し、センタシステム４および読取り端末３に送る処理を行う。
【００６５】
こうした処理によれば、広告の数と、管理テーブル４３Ａに登録されている広告管理番号の数とを照合することにより、無断広告の有無を判別することができ、しかも、センタシステム４の入出力装置４４および読取り端末３の表示パネルが無断広告有りの目視を可能にすると共に、無断広告有りの表示を自動的に行うことができる。
（実施の形態４）
実施の形態３では、電柱に設置されている電柱広告の数を巡視員が入力することにより、センタシステム４が無断広告の有無を判別したが、この実施の形態では次のようにしている。巡視員が読取り端末３を操作して、無線ＩＣタグ１、２Ａ、２Ｂからデータを読み出すと、センタシステム４のホストコンピュータ４２は、読取り端末３が読み出した電柱管理番号に登録されている広告管理番号を記憶装置４３の管理テーブル４３Ａから調べ、この電柱管理番号を含む広告データを表示データとし、この表示データを入出力装置４４と読取り端末３とに送る。これにより、巡視員がデータを読み取った電柱に本来設置されている電柱広告の広告データ、つまり電柱管理番号、電柱広告のタイプ、掲示期間、広告主などを、センタシステム４の入出力装置４４が表示すると共に読取り端末３の表示パネルにも表示するので、巡視員は、電柱に無断広告があるかどうかを容易に判断することができる。
（実施の形態５）
実施の形態４では、無断広告を発見した場合、巡視員が電柱広告の内容から広告主や住所を調べて、管理会社に通報する。この実施の形態では、巡視員は無断広告を発見すると、読取り端末３を操作して、無断広告の内容を入力する。無断広告の内容が入力されると、読取り端末３は、無断広告の内容を示すデータをセンタシステム４に送る。センタシステム４のホストコンピュータ４２は、読取り端末３から受け取った無断広告のデータから広告データを作成する。また、センタシステム４は、広告データに不足したデータがあると、このデータをネットワーク１１０などで調べる。センタシステム４は、作成した無断広告の広告データを管理し、必要に応じて、管理している無断広告の広告データを基にして、警告書を入出力装置４４から出力するための支援を行う。
（実施の形態６）
この実施の形態では、管理処理を行う前に次の処理を行う。この処理では、ホストコンピュータ４２は、読取り端末３から電柱管理番号と広告管理番号とを受け取ると、読取り端末３から受け取った広告管理番号が、読取り端末３の読み取った電柱管理番号に対応するか、または、別の電柱管理番号に対応するかを調べる。別の電柱管理番号に対応するものであれば、この電柱管理番号の電柱広告が、所定の電柱とは別の電柱に設置された電柱広告つまり掛け違い広告であるので、ホストコンピュータ４２は、掛け違い広告を示す表示データを作成し、この表示データをセンタシステム４および読取り端末３に送る。
【００６６】
こうした処理によれば、読取り端末３から受け取った電柱管理番号および広告管理番号と、管理テーブル４３Ａに登録されているすべての電柱管理番号および広告管理番号とを照合することにより、掛け違い広告の有無を判別することができ、しかも、センタシステム４の入出力装置４４および読取り端末３の表示パネルが、掛け違い広告の有無の目視を可能にすると共に、掛け違い広告有りの表示を自動的に行うことができる。
【００６７】
以上、この発明の実施の形態１〜６を詳述してきたが、具体的な構成および方法はこれらの実施形態に限られるものではなく、この発明の要旨を逸脱しない範囲の設計の変更等があっても、この発明に含まれる。たとえば、各実施の形態では、読取り端末３が無線ＩＣタグ１、２Ａ、２Ｂのデータを読み取り、センタシステム４に送信したが、読取り端末３として、無線ＩＣタグ１、２Ａ、２Ｂのデータを読み取る読取り器と、この読取り器からのデータやセンタシステム４からのデータの表示等をするパーソナルコンピュータと、センタシステム４とデータの送受信をするための手段として、このコンピュータに内蔵されている通信用モデムや、このコンピュータに接続可能な携帯電話とを用いてもよい。
【００６８】
また、各実施の形態では、電柱広告毎に広告管理番号を作成したが、各電柱１２０は電柱管理番号によって識別可能であるので、広告管理番号として、例えば電柱広告の巻き広告と掛け広告の２つのタイプに応じた広告管理番号を用意してもよい。この場合には、広告管理番号が広告のタイプの数しかないので、広告管理番号の管理を簡単化することができる。
【００６９】
また、各実施の形態では、センタシステム４を管理会社に設置したが、センタシステム４の設置は電力会社を含めて任意である。
【図面の簡単な説明】
【００７０】
【図１】この発明の実施の形態１による電柱広告管理システムを示す構成図である。
【図２】図１の電柱を拡大した拡大図である。
【図３】無線ＩＣタグを示すブロック図である。
【図４】読取り端末を示すブロック図である。
【図５】管理テーブルを説明するための説明図である。
【図６】ホストコンピュータの入力処理を示すフローチャートである。
【図７】ホストコンピュータの管理処理を示すフローチャートである。
【図８】ホストコンピュータの管理処理を示すフローチャートである。
【図９】ホストコンピュータの通報処理を示すフローチャートである。
【符号の説明】
【００７１】
１、２Ａ、２Ｂ  無線ＩＣタグ
１１  アンテナ
１２  送受信回路
１３  電源回路
１４  ＣＰＵ
１５  メモリ
３  読取り端末（読取り装置）
３１、３８  アンテナ
３２  送受信回路
３３  ＣＰＵ
３４  通信回路
３５  メモリ
３６  電源回路
３７  パネル（第２の表示手段）
４  センタシステム
４１  通信装置
４２  ホストコンピュータ
４３  記憶装置
４３Ａ  管理テーブル
４４  入出力装置（第１の表示手段）
１１０  ネットワーク
１１１  通信網
１１２  電波中継機
１２０  電柱
１３１、１３２  電柱広告
【図１】
2006331168.tif 000003
【図２】
2006331168.tif 000004
【図３】
2006331168.tif 000005
【図４】
2006331168.tif 000006
【図５】
2006331168.tif 000007
【図６】
2006331168.tif 000008
【図７】
2006331168.tif 000009
【図８】
2006331168.tif 000010
【図９】
2006331168.tif 000011